(57)【要約】      （修正有）【課題】室内の壁を利用して棚を組み立てて意匠効果を高め、高所への運動や高所での休憩を好む猫達にぴったりの猫用遊戯棚を提供する。【解決手段】所要幅の縦長の壁面接合部材１に、水平方向の溝状の係合手段を複数段に渡って設け、前記係合手段に平板状の突起を有する棚板状の係合具６を移動自在に係合して成る。前記係合手段としての溝９のほか、ほぞ穴１１も提供される。さらに、棚板状の係合具６のほか、各種の出入孔を有するボックスも提供される。【選択図】図１
0003214510.tif 000002
【実用新案登録請求の範囲】
【請求項１】
所要幅の縦長の壁面接合部材に、水平方向の溝状の係合手段を複数段に渡って設け、前記係合手段に平板状の突起を有する係合具を移動自在に係合して成ることを特徴とする猫用遊戯棚。
【請求項２】
所要幅の縦長の壁面接合部材に、水平方向に断続的に丸孔状のほぞ穴からなる係合手段を複数段に渡って設け、前記係合手段に前記ほぞ穴に嵌着するほぞを一対に設けた係合具を移動自在に係合して成ることを特徴とする猫用遊戯棚。
【請求項３】
前記係合具が上下面及び周面の一部を除き、各種の出入口を有するボックスから成ることを特徴とする請求項１又は２記載の猫用遊戯棚。
【請求項４】
前記壁面接合部材が縦方向に横割りされたブロック体の集合から成ることを特徴とする請求項１、２又は３記載の猫用遊戯棚。
【考案の詳細な説明】
【技術分野】
【０００１】
本考案は、室内の壁を利用して棚を組み立て、猫が室内で十分に遊ぶことができ、且つ、作業性が良く猫の運動不足の解消とそれらを通じて癒しの空間が形成される猫用遊戯棚に関する。
【背景技術】
【０００２】
従来、形状が変形できるようにして、室内の模様替え等の際に邪魔になりにくく、また猫にとって昇り降りがしやすい猫用の遊戯装置が知られている（特許文献1を参照）。
この公知技術は、垂直方向に延びる支柱部を複数備え、該支柱部に棚板が回動可能に配置される猫用の遊戯装置である。
また、猫が室内で十分に遊ぶことができ、かつ設置が容易で組立作業性が良く、主要部分が紙製であるため廃棄処分を簡易に行える猫の遊戯棚が知られている（特許文献2を参照）。
この公知技術は、厚紙からなる角筒形の紙管と、該紙管同士を上下左右の３方向、４方向、５方向を連結する３種類のジョイントパーツと、前記紙管と前記ジョイントパーツにより組み立てられた水平桟に載置される強化段ボール製の平板と、前記水平桟または平板に載置される強化段ボール製のボックスから構成される猫の遊戯棚である。
上述したこれらの公知技術は、猫の遊戯性に優れているが、意匠的効果や変化が少なく、室内における猫の遊戯棚としては不満足なものであった。
【先行技術文献】
【特許文献】
【０００３】
【特許文献１】特許第４５０３８７７号公報
【特許文献２】実用新案登録第３２０１８３８号
【考案の概要】
【考案が解決しようとする課題】
【０００４】
本考案は、室内の壁を利用して棚を組み立てて意匠効果を高め、高所への運動や高所での休憩を好む猫達にぴったりの猫用遊戯棚を提供するものである。
【課題を解決するための手段】
【０００５】
本考案の猫用遊戯棚は、所要幅の縦長の壁面接合部材に、水平方向の溝状の係合手段を複数段に渡って設け、前記係合手段に平板状の突起を有する係合具を移動自在に係合して成る。
本考案の猫用遊戯棚は、所要幅の縦長の壁面接合部材に、水平方向に断続的に丸孔状のほぞ穴からなる係合手段を複数段に渡って設け、前記係合手段に前記ほぞ穴に嵌着するほぞを一対に設けた係合具を移動自在に係合して成る。
前記係合具が上下面及び周面の一部を除き、各種の出入口を有するボックスから成る。
前記壁面接合部材が、縦方向に横割りされたブロック体の集合から成る。
【考案の効果】
【０００６】
本考案の猫用遊戯棚によれば、室内の壁面に沿ってその前方300ｍｍ程度を確保しつつ、整然とした中で、移動自在な係合具を下から上へ縦横無尽に動き回る猫達を見続けられることは、高齢者にとっては勿論のこと、若者にとっても癒しの時間となる。
また、壁面に沿う壁面接合部材に意匠的な要素を盛り込んで華やかな雰囲気を創出できる効果もある。
さらに、壁面接合部材に対する係合具の位置変更が極めて簡易となる。
【図面の簡単な説明】
【０００７】
【図１】本考案に係る猫用遊戯棚の説明図で、（a）は溝状の正面図、（b）はほぞ穴の正面図、（c）は（a）におけるＡ部拡大縦断面図である。
【図２】本考案に係る猫用遊戯棚の説明図で、（a）はその正面図、（b）は（a）の右側面図であり、（ｃ）はボックスの一部を破断した一側面図である。
【図３】本考案に係る猫用遊戯棚の説明図で、（a）はその正面図、（b）はその右側面図であり、（c）は（b）におけるＡ部拡大縦断面図である。
【図４】本考案の各種猫用遊戯棚を室内の壁面に取り付けた全体の正面図である。
【考案を実施するための形態】
【０００８】
本考案の猫用遊戯棚Ａを添付図面により詳細に説明する。
図１（ａ）の正面図に示す猫用遊戯棚Ａは、壁面接合部材１の上下間に６個のブロック体４を配置させてそのブロック体４の意匠効果を誘発させたものであり、前記壁面接合部材１の上部に短尺ブロック体２を配し、最下部に長尺ブロック体３を設け、その中間に均等な６個のブロック体４を設けて成る。
各ブロック体２、３、４は同一幅でありながら表面に凹凸があり、長さが区区（まちまち）な小辺体の圧着接合体から成り、図１（ｃ）のＡ部拡大縦断面図に示すように、溝９を構築する係合手段の部分では、上方のブロック体４の下端に位置決めされるＬ形金具５の長尺水平辺５ａと、下方のブロック体４の上端に位置決めされるＬ形金具５の長尺水平辺５ａとは、その間に棚板状の係合具６の先端にビス止めされるＬ形金具７の長尺水平辺７ａがかみ合わされる間隙で、それぞれそれらの背面から補強される補強材８にビス止めされる。
【０００９】
このように、上下の各ブロック体４同士の間には、前記係合具６の先端にビス止めされるＬ形金具７の長尺水平辺７ａが噛み合わされる溝９が形成され、然る後に各ブロック体４は補強材８と共に、ビスなどで裏打ち材１０に固定される。
また、図１（ｂ）の正面図に示すものは、壁面接合部材１の表面全面が着色されて係合手段がほぞ穴１１から成り、係合具６が前記ほぞ穴１１に係合する一対のほぞを有して成る。
図１（ａ）に示す溝９を係合手段としたものに対し、ほぞ穴１１を係合手段としたものであり、抜き差ししながらではあるが、水平方向に断続的に移動自在としたものである。
【００１０】
次に、本考案の猫用遊戯棚Ｂを添付図面により詳細に説明する。
図２の正面図に示した猫用遊戯棚Ｂは、棚板状の係合具６とボックス１２が猫の遊び相手となるもので、各ブロック体４の要所に形成される溝９は、図１（ａ）に示されるものと全く同一であり、このボックス１２の上下部に配置されるＬ形金具１３の長尺水平辺１３ａがそれぞれ各ブロック体４、４間に形成される溝９に嵌着される。
したがって、この猫用遊戯棚Ｂでは、棚板状の係合具６から図２（ｂ）、（ｃ）に示すボックス１２の出入孔１４への跳び移り、或いはボックス１２の頂面１５にとび跳ねて休憩するなどさまざまである。
【００１１】
次に、本考案の猫用遊戯棚Ｃを添付図面により詳細に説明する。
図３（ａ）の正面図に示した猫用遊戯棚Ｃは、壁面接合部材１の上部に短尺ブロック体２を配し、最下部に長尺ブロック体３を設け、その中間に均等な６個のブロック体４を設けてなる。
そして、これ等のブロック体２、３、４はそれぞれ所要小幅で一本ものの小辺体の圧着接合体から成るものである。
さらに、各小辺体の下端には所要幅で所要深さの飾り溝１６が形成され、これ等は意匠的な美感を伴って視認される。
また、各ブロック体４の要所に形成される溝９は  図１（ｃ）に示されるものと全く同一であり、上部のブロック体４の下端にビス止めされるＬ形金具５とその下部のブロック体４の上端にビス止めされるＬ形金具５との間には、係合具６の突端にビス止めされるＬ形金具７の長尺水平辺７ａを挟持させた隙間で、それぞれ裏面の補強材８からそれぞれのＬ形金具５がビス止めされ、かつ、適宜な個所で各ブロック体４は裏面の裏打ち材１０にビス止めされるから、常にこのブロック体４、４間にはしっかりした溝９が形成され、安定的に係合具６を保持できる。
【００１２】
図４の正面図に示したものは、これまで説明した猫用遊戯棚Ａ乃至Ｃを２間半の壁面に展開したものであり、室内の広さによって簡単にアレンジできるのも本考案の魅力である。
なお、壁面接合部材１は室内の壁面にしっかり固定されるので、模様替えは係合具６を溝９に沿って水平移動したり、ほぞのほぞ穴１１への抜き差しであるから極めて簡単になされる。
さらに、爪とぎ材がふんだんにあしらわれるから、室内の柱や戸障子が猫の爪で痛められることがない。
【００１３】
前記壁面接合部材１は、縦方向に複数段に横割りされたブロック体２，３，４の集合から成るものや、一枚の化粧された部材にほぞ穴１１が所要ピッチで打ち抜かれたものなどである。
前記ブロック体２，３，４の上下両端に接合されるＬ形金具５は、その中間にＬ形金具５の水平辺５ａが挿入されてそれぞれ裏面の補強材８に接合され、かつ、裏打ちされる裏打ち材１０に適宜に固定されるから、係合具６のＬ形金具７の水平辺７ａが抜かれても各ブロック体２，３，４の上下間には溝９が形成される。
また、ブロック体２，３，４は、所要小幅の長短種々なる寸法の小辺体の圧着接合体からなるものであり、ＤＩＹ（＝自分で製作すること）対象となる。
なお、化粧単板においても、縦方向に複数段に渡って横割りされたブロック体の集合からなるものも提供され得る。
【産業上の利用可能性】
【００１４】
本考案の猫用遊戯棚は、構造が簡易で壊れ難いものであるから、動物愛護の精神が脈々と感じられるものである上、使用される木材が小辺材であるから、間伐材などの小径木が対象となり、森林資源の活性化にも資する。
また、本考案の猫用遊戯棚は、猫が居ない場合には、壁面に沿う壁面接合部材に意匠的な要素を盛り込んで華やかな雰囲気を創出できるので、本棚等の一般用棚としても利用することができる。
【符号の説明】
【００１５】
１  壁面接合部材
２  短尺ブロック体
３  長尺ブロック体
４  ブロック体
５  Ｌ形金具
５ａ  長尺水平辺
６  係合具
７  Ｌ形金具
７ａ  長尺水平辺
８  補強材
９  溝
１０  裏打ち材
１１  ほぞ穴
１２  ボックス  
１３  Ｌ形金具
１３ａ  長尺水平辺
１４  出入孔
１５  頂面
１６  飾り溝
Ａ  猫用遊戯棚
Ｂ  猫用遊戯棚
Ｃ  猫用遊戯棚
【図１】
0003214510.tif 000003
【図２】
0003214510.tif 000004
【図３】
0003214510.tif 000005
【図４】
0003214510.tif 000006